(57)【要約】【課題】  画面調整を精度よく行うことができるリアプロジェクタ装置を提供する。【解決手段】  光センサー１７を、投射レンズ２とスクリーン４との間の光路上の投射レンズ２の出射光の焦点の合っていない位置に挿脱可能に配置し、この光センサー１７により透過型カラーフィルター１２ａ、１２ｂ、１２ｃを透過したＲ、Ｇ、Ｂ各色の光に対する明るさを測定する。【選択図】      図３
2008310156.tif 000002
【特許請求の範囲】
【請求項１】
光源と；
前記光源からの光が透過され、ＲＧＢ各色の光を順に出射する複数のカラーフィルターと；
前記カラーフィルターを透過したＲＧＢ各色の光を画像信号により変調する光変調手段と；
前記光変調手段で変調された光をスクリーンに投射する投射レンズと；
前記投射レンズと前記スクリーンとの間の光路上の前記投射レンズの出射光の焦点の合っていない位置に挿脱可能に設けられ、前記投射レンズより出射されるＲＧＢ各色の光を測定する光測定手段と；
を具備したことを特徴とするリアプロジェクタ装置。
【請求項２】
前記複数のカラーフィルターは、一定速度で回転可能なカラーホイルの円周方向に沿って配置され、
前記カラーホイルは、前記変調手段のＲＧＢ各色の光に対する変調処理期間の基準となるインデックスを有し、該インデックスの位置を前記光測定手段の前記ＲＧＢ各色の光の測定結果により設定可能にしたことを特徴とする請求項１記載のリアプロジェクタ装置。
【請求項３】
前記光測定手段は、測定開始及び終了をそれぞれ指示可能な機能を有し、前記変調手段でのＲＧＢ各色の光に対する変調処理期間に対応して前記光測定手段の測定開始及び終了を指示可能としたことを特徴とする請求項２記載のリアプロジェクタ装置。
【請求項４】
前記光変調手段は、ＤＭＤからなることを特徴とする請求項１乃至３のいずれか一記載のリアプロジェクタ装置。
【発明の詳細な説明】
【技術分野】
【０００１】
本発明は、複数個組み合わせることで一つの大画面を構成する背面投影型のリアプロジェクタ装置に関する。
【背景技術】
【０００２】
最近、交通管制センターなどには、交通状況を表示するための大画面のモニターが用いられているが、このような大画面モニターには、複数個の背面投影型のリアプロジェクタ装置を組み合わせたマルチ表示装置が用いられている。
【０００３】
リアプロジェクタ装置は、光源から出射される光をＲＧＢ（赤、緑、青）の透過型カラーフィルターに順に投射し、ＲＧＢ（赤、緑、青）の各色の光を得るとともに、これら各色の光をＤＭＤ（Digital Micromirror Device）を用いて画素単位でスクリーン上に反射させることでカラー画像を形成するようにしたもので、このようなリアプロジェクタ装置を複数個組み合わせて一つの大画面のマルチ表示装置を構成するようにしている。
【０００４】
ところで、このようなリアプロジェクタ装置を複数個組み合わせて一つの大画面を構成する場合、各リアプロジェクタ装置に用いられる光源や光学部品の個体差から、各リアプロジェクタ装置で形成されるカラー画像の明るさや色が一致しないことがある。つまり、各リアプロジェクタ装置での光源の明るさやカラーフィルターなどの光学部品の透過率にバラツキがあると、リアプロジェクタ装置ごとの画面の明るさや色に違いが生じることがあり、これらリアプロジェクタ装置により一つの画面を構成した場合、全体画像として非常に見ずらいものになるとい問題があった。
【０００５】
そこで、従来、特許文献１に開示されるように複数のディスプレイを組み合わせて一つの画面を構成した場合、各ディスプレイ画面をカメラで撮影し、このカメラより取込んだデータに基づいて各ディスプレイに対する映像信号の増幅率やガンマ補正を制御することにより、全てのディスプレイのホワイトバランス及びガンマ特性を一致させる方法が考えられている。
【特許文献１】特開平６−２１７３３６号公報
【発明の開示】
【発明が解決しようとする課題】
【０００６】
しかし、このような特許文献１の方法では、ディスプレイに表示される画面をカメラにより撮像しており、カメラより出力される測定データにはディスプレイの画面上の雑音などが多く含まれるため、精度のよいデータを得るのが難しく、各ディスプレイの画面調整を正確にできないという問題があった。
【０００７】
本発明は上記事情に鑑みてなされたもので、画面調整を精度よく行うことができるリアプロジェクタ装置を提供することを目的とする。
【課題を解決するための手段】
【０００８】
請求項１記載の発明は、光源と；前記光源からの光が透過され、ＲＧＢ各色の光を順に出射する複数のカラーフィルターと；前記カラーフィルターを透過したＲＧＢ各色の光を画像信号により変調する光変調手段と；前記光変調手段で変調された光をスクリーンに投射する投射レンズと；前記投射レンズと前記スクリーンとの間の光路上の前記投射レンズの出射光の焦点の合っていない位置に挿脱可能に設けられ、前記投射レンズより出射されるＲＧＢ各色の光を測定する光測定手段と；を具備したことを特徴としている。
【０００９】
請求項２記載の発明は、請求項１記載において、前記複数のカラーフィルターは、一定速度で回転可能なカラーホイルの円周方向に沿って配置され、前記カラーホイルは、前記変調手段のＲＧＢ各色の光に対する変調処理期間の基準となるインデックスを有し、該インデックスの位置を前記光測定手段の前記ＲＧＢ各色の光の測定結果により設定可能にしたことを特徴としている。
【００１０】
請求項３記載の発明は、請求項２記載において、前記光測定手段は、測定開始及び終了をそれぞれ指示可能な機能を有し、前記変調手段でのＲＧＢ各色の光に対する変調処理期間に対応して前記光測定手段の測定開始及び終了を指示可能としたことを特徴としている。
【００１１】
請求項４記載の発明は、請求項１乃至３のいずれか一記載において、前記光変調手段は、ＤＭＤからなることを特徴としている。
【発明の効果】
【００１２】
本発明によれば、画面調整を精度よく行うことができるリアプロジェクタ装置を提供できる。
【発明を実施するための最良の形態】
【００１３】
以下、本発明の実施の形態を図面に従い説明する。
【００１４】
（第１の実施の形態）
図１は、本発明の第１の実施の形態に係るリアプロジェクタ装置により構成されるＤＬＰ（Digital Light Processing）マルチ表示装置の概略構成を示している。この場合、ＤＬＰマルチ表示装置は、複数（図示例では４個）のリアプロジェクタ装置１００〜４００を組み合わせて２×２の大画面を有するマルチ表示装置を構成している。
【００１５】
図２は、リアプロジェクタ装置の概略構成を示している。図２は、リアプロジェクタ装置１００について示している。図において、１は装置本体で、この装置本体１は、光源から出射される光を、順にＲＧＢ（赤、緑、青）の各透過型カラーフィルターを透過させ、ＲＧＢ（赤、緑、青）各色の光を生成するとともに、これら光をＤＭＤにより画素単位で反射させ投射レンズ２より出射する。装置本体１の詳細は後述する。
【００１６】
投射レンズ２の出射光路には、反射ミラー３が配置され、この反射ミラー３の反射光路には、スクリーン４が配置されている。反射ミラー３は、投射レンズ２より出射した各色の光を反射し、スクリーン４に対し背面から投影することによりカラー画像を表示させる。
【００１７】
図３は、リアプロジェクタ装置１００の装置本体１の構成をさらに詳細に説明する図である。なお、図３は図２と同一部分には同符号を付している。
【００１８】
図３において、１１は光源で、この光源１１は、例えば超高圧水銀ランプなどのランプ１１ａと、このランプ１１ａからの光を所定方向に照射するための反射ミラー１１ｂを有している。
【００１９】
光源１１からの光の光路上には、円板状のカラーホイル１２が配置されている。このカラーホイル１２は、図４（ａ）に示すように円周方向に沿って等間隔に複数（図示例では、Ｒ（赤）Ｇ（緑）Ｂ（青）の３色）の透過型カラーフィルター１２ａ、１２ｂ、１２ｃが配置されている。また、カラーホイル１２は、中心部に回転軸１２ｄが設けられ、不図示の駆動モータにより回転軸１２ｄを介して一定の速度で回転駆動される。つまり、カラーホイル１２は、回転することで、光源１１から出射される光を、順に透過型カラーフィルター１２ａ、１２ｂ、１２ｃを透過させる。
【００２０】
透過型カラーフィルター１２ａ、１２ｂ、１２ｃを透過した光路には、レンズ系１３、プリズム１４を介して光変調手段としてのＤＭＤ１５が配置されている。レンズ系１３及びプリズム１４は、透過型カラーフィルター１２ａ、１２ｂ、１２ｃを透過したＲ、Ｇ、Ｂ各色の光をＤＭＤ１５に導く。ＤＭＤ１５は、透過型カラーフィルター１２ａ、１２ｂ、１２ｃを透過したＲＧＢ各色の光を画像信号により変調するものである。この場合、ＤＭＤ１５は、シリコンウェハー上に微細なマイクロ反射ミラーを二次元的に配置したもので、各マイクロ反射ミラーは、１枚の画像を構成する画素に対応するとともに、１０μＳ程度の高速で偏向動作して入射光を２方向（オン／オフ）に反射し、このうちのオン方向の反射光により画像を表現する。
【００２１】
ＤＭＤ１５には、ＤＭＤ制御部１６が接続されている。このＤＭＤ制御部１６には、不図示の主装置より画像信号が入力され、この画像信号により透過型カラーフィルター１２ａ、１２ｂ、１２ｃを透過して導入されるＲ、Ｇ、Ｂ各色の光に対してＤＭＤ１５の各マイクロ反射ミラーでのオン方向の反射を制御する。また、ＤＭＤ制御部１６は、不図示の主装置より入力される補正信号により、例えばマイクロ反射ミラーでのオン方向の反射光を補正し光の明るさや色を調整する機能を有している。
【００２２】
ＤＭＤ１５のオン方向の反射光の光路には、投射レンズ２が配置されている。投射レンズ２は、ＤＭＤ１５のオン方向の反射光を拡大する。そして、投射レンズ２より拡大して出射される光を反射ミラー３で反射させ、スクリーン４背面に投影することで、スクリーン４上にカラー画像を表示させる。
【００２３】
投射レンズ２とスクリーン４との間の光路上の投射レンズ２の出射光の焦点の合っていない位置（図示例では投射レンズ２の近傍）に、光測定手段としてフォトダイオードなどの光センサー１７が挿脱可能に配置されている。この光センサー１７は、透過型カラーフィルター１２ａ、１２ｂ、１２ｃを透過したＲ、Ｇ、Ｂ各色の光に対する色及び明るさを測定する。また、光センサー１７は、図５に示すように駆動源のマイクロモータ１８の回転軸１８ａに連結されたアーム１９先端に設けられ、常時は図示破線位置にあり、投射レンズ２より出射される光を検出する際に、マイクロモータ１８の駆動による回転軸１８ａの回転により図示実線位置まで移動され投射レンズ２の前面に位置される。この場合、投射レンズ２の前面に光センサー１７が位置された状態では、光センサー１７が動かないようにアーム１９は、不図示の固定機構により固定される。
【００２４】
ここで、光センサー１７を投射レンズ２の出射光の焦点の合っていない位置に配置するのは、投射レンズ２の出射光の焦点の合っている位置では、例えば、図６に示すようにＤＭＤ１５の各マイクロ反射ミラーに対応した画素ｉと、これら画素ｉ間の隙間ｇが異なる明るさをもって鮮明に映し出される。このため、図６中（ａ）のようにセンサーが画素ｉ１上に位置する場合と、図６中（ｂ）に示すように複数の画素ｉ２、ｉ３、ｉ４、ｉ５上に位置する場合とでは、画素間の隙間ｇの有無によって明るさにバラツキを生じ、光センサー１７での測定結果に差を生じてしまう。これに対し、光センサー１７を投射レンズ２の出射光の焦点の合っていない位置に配置すると、図６で示すように明るさの異なる画素と、これら画素間の隙間が映し出されることがないため、光センサー１７での測定結果が画素間の隙間部分の影響を受け難く、バラツキの少ない安定した測定結果を得ることができる。
【００２５】
なお、上述では、リアプロジェクタ装置１００について述べたが、他のリアプロジェクタ装置２００〜４００についても同様である。
【００２６】
次に、このように構成した実施の形態の作用を説明する。
【００２７】
まず、映像をスクリーン４に表示する通常の使用状態では、光センサー１７を図５に示す破線位置に設定する。この状態で、光源１１より出射される光を、一定の速度で回転するカラーホイル１２の各透過型カラーフィルター１２ａ、１２ｂ、１２ｃを順に透過させ、レンズ系１３、プリズム１４を介してＤＭＤ１５に入射する。また、ＤＭＤ制御部１６に不図示の主装置より画像信号を入力すると、この画像信号により透過型カラーフィルター１２ａ、１２ｂ、１２ｃを透過するＲ、Ｇ、Ｂ各色の光に対してＤＭＤ１５の各マイクロ反射ミラーでのオン方向の反射が制御される。そして、このＤＭＤ１５のオン方向の反射光は、投射レンズ２より拡大して出射され、反射ミラー３で反射され、スクリーン４にカラー画像が表示される。
【００２８】
次に、透過型カラーフィルター１２ａ、１２ｂ、１２ｃを透過したＲ、Ｇ、Ｂの各光に対する明るさや色を調整する場合、マイクロモータ１８の駆動によりアーム１９を回転させ、図５に示すように光センサー１７を投射レンズ２の出射側前面に位置させる。この状態で、光源１１からの光を一定の速度で回転するカラーホイル１２の各透過型カラーフィルター１２ａ、１２ｂ、１２ｃを順に透過し、Ｒ、Ｇ、Ｂ各色の光をＤＭＤ１５に入射する。また、ＤＭＤ制御部１６に不図示の主装置より画像信号として基準信号を入力する。この基準信号は、Ｒ、Ｇ、Ｂ各色の光に対応させて同色の基準パターンをスクリーン４上に表示させるためのものである。ＤＭＤ制御部１６は、基準信号により透過型カラーフィルター１２ａ、１２ｂ、１２ｃを透過するＲ、Ｇ、Ｂ各色の光に対するＤＭＤ１５の各マイクロ反射ミラーでのオン方向の反射を制御し、この反射光を投射レンズ２より出射し、スクリーン４上にＲ、Ｇ、Ｂの光に対応する同色の基準パターンを表示させる。
【００２９】
この状態で、光センサー１７により投射レンズ２より出射される反射光から透過型カラーフィルター１２ａ、１２ｂ、１２ｃを透過したＲ、Ｇ、Ｂ各色に対応する光の色及び明るさを各別に測定する。光センサー１７の測定信号は、不図示の主装置に送られる。主装置では、リアプロジェクタ装置１００〜４００の各光センサー１７からの各色ごとの測定信号から、リアプロジェクタ装置１００〜４００間でのＲ、Ｇ、Ｂの各光の明るさ及び色のずれを判定し、この判定結果に応じた補正信号を生成して各リアプロジェクタ装置１００〜４００のＤＭＤ制御部１６に入力する。これにより、各リアプロジェクタ装置１００〜４００は、ＤＭＤ制御部１６によりＤＭＤ１５のマイクロ反射ミラーでのオン方向の反射光が補正され、全てのリアプロジェクタ装置１００〜４００の各画面において透過型カラーフィルター１２ａ、１２ｂ、１２ｃを透過したＲ、Ｇ、Ｂ各色の光に対する明るさ及び色が同じになるように調整される。
【００３０】
したがって、このようにすれば、光センサー１７を、投射レンズ２とスクリーン４との間の光路上の投射レンズ２の出射光の焦点の合っていない位置に挿脱可能に配置し、この光センサー１７により透過型カラーフィルター１２ａ、１２ｂ、１２ｃを透過したＲ、Ｇ、Ｂ各色の光に対する色及び明るさを測定するようにした。これにより、投射レンズ２の出射光の焦点の合っている位置に配置される場合の、合焦位置に映し出される画素や、これら画素間部分などの明るさのバラツキの影響を受けることがなく、光センサー１７での測定結果にバラツキを生じることのない精度の高い測定値を得ることができるようになり、より正確な明るさ及び色の調整を行うことができる。また、光センサー１７は、ＤＭＤ１５のオン方向の反射光で、投射レンズ２より出射され、スクリーン４に投射される光を直接測定することができるので、雑音を含まない精度の良い測定信号を得ることができ、このような測定信号を用いることにより、さらに正確な明るさ及び色の調整を行うことができる。
【００３１】
（変形例）
上述した実施の形態では、投射レンズ２より投射された光を直接光センサー１７に入射するようにしたが、光センサー１７の投射レンズ２側前面に絞りを配置するようにしてもよい。こうすれば、投射レンズ２より光センサー１７に入射される光の強さを絞りにより調整できるので、例えば投射レンズ２より投射される光が強過ぎて光センサー１７の測定信号が飽和してしまうようなことを防止できる。
【００３２】
（第２の実施の形態）
ところで、カラーホイル１２には、図４に示すように回転位置情報であるインデックス（マーキング）１２ａが設定されている。そして、このインデックス１２ｅを基準にして図４（ｂ）に示すようにＤＭＤ１５に対するリフレッシュ基準信号２１を発生し、このリフレッシュ基準信号２１とインデックス１２ｅの間のインデックス設定値Ｓに基づいて、同図（ｃ）に示すように透過型カラーフィルター１２ａ、１２ｂ、１２ｃを透過したＲ、Ｇ、Ｂ各色の光のＤＭＤ１５への導入期間に対し、ＤＭＤ１５でのＲ、Ｇ、Ｂ各色の光に対する変調処理期間が一致するように設定されている。
【００３３】
ところが、カラーホイル１２のインデックス１２ｅは、例えば、このインデックス１２ｅを読み取る不図示のセンサーの位置ずれ、或いは製品出荷後にカラーホイル１２や上記センサーを交換した際の取付位置のずれなどによって位置ずれを生じることがある。このことは、例えば、同図（ｄ）に示すようにインデックス１２ｅの位置にずれが生じると、このインデックス１２ｅの位置を基準にリフレッシュ基準信号２１が発生し、ＤＭＤ１５でのＲ、Ｇ、Ｂ各色の光に対する変調処理期間が設定されるため、透過型カラーフィルター１２ａ、１２ｂ、１２ｃを透過したＲ、Ｇ、Ｂ各色の光のＤＭＤ１５への導入期間に対するＤＭＤ１５でのＲ、Ｇ、Ｂ各色の光に対する変調処理期間にずれを生じる。この結果、同図（ｄ）に示すようにＤＭＤ１５は、Ｒ、Ｇ、Ｂ各色の光に対する変調処理期間で、異なる色の光の変調処理を行う期間（図示Ａ部分）が一部生じることがあり、これがスクリーン４に投射される画像の色純度を悪化させる原因となり、また、リアプロジェクタ装置１００〜４００の画面間でのＲ、Ｇ、Ｂの各光の明るさ及び色が一致しない原因にもなっていた。
【００３４】
そこで、この第２の実施の形態では、図５に示すように光センサー１７を投射レンズ２の前面に位置させた状態で、上述したと同様に、ＤＭＤ制御部１６に不図示の主装置より基準信号を入力し、この基準信号によりＤＭＤ１５の各マイクロ反射ミラーでのオン方向の反射を制御し、この反射光を投射レンズ２より出射し、スクリーン４上にＲ、Ｇ、Ｂ各色の光に対応させて同色の基準パターンを表示させる。そして、光センサー１７により投射レンズ２より出射されるＲ、Ｇ、Ｂ各色の光の明るさを測定する。この場合、例えば赤（Ｒ）について、インデックス１２ｅの位置（インデックス値）を変化させながら、光センサー１７の測定を繰り返すと、図７（ａ）に示すように測定値（出力）の変化が得られる。これは、インデックス１２ｅが適正位置に近づくと、透過型カラーフィルター１２ａ、１２ｂ、１２ｃを透過したＲ、Ｇ、Ｂ各色の光のＤＭＤ１５への導入期間とＤＭＤ１５のＲ、Ｇ、Ｂ各色の光に対する変調処理期間が一致する状態に近づき、逆にインデックス１２ｅが適正位置から離れると、透過型カラーフィルター１２ａ、１２ｂ、１２ｃを透過したＲ、Ｇ、Ｂ各色の光のＤＭＤ１５への導入期間とＤＭＤ１５のＲ、Ｇ、Ｂ各色の光に対する変調処理期間のずれが大きくなるためである。緑（Ｇ）、青（Ｂ）についても同様で、インデックス１２ｅの位置（インデックス値）を変化させながら光センサー１７の測定を繰り返すと、図７（ｂ）（ｃ）に示すように測定値（出力）の変化が得られる。
【００３５】
そして、これらの測定結果から、Ｒ、Ｇ、Ｂ各色に対する光センサー１７の測定値が最大となるインデックス値を適正値Ｂとしてインデックス１２ｅの位置を決定する。
【００３６】
したがって、このようにすれば、光センサー１７の測定値からカラーホイル１２のインデックス１２ｅの適正な位置を正確に設定することができ、このインデックス１２ｅの位置を基準にしてＤＭＤ１５でのＲ、Ｇ、Ｂ各色の光に対する変調処理期間を設定することにより、透過型カラーフィルター１２ａ、１２ｂ、１２ｃを透過したＲ、Ｇ、Ｂ各色の光のＤＭＤ１５への導入期間と、ＤＭＤ１５でのＲ、Ｇ、Ｂ各色の光に対する変調処理期間が常に一致した状態を得られるようになるので、画像の色純度の向上を図ることができるとともに、リアプロジェクタ装置１００〜４００の間でのＲ、Ｇ、Ｂ各色の光の明るさ及び色が一致しない原因も回避できる。
【００３７】
（第３の実施の形態）
一方、透過型カラーフィルター１２ａ、１２ｂ、１２ｃを透過したＲ、Ｇ、Ｂ各色の光の色及び明るさを光センサー１７で測定し、この測定結果からＲ、Ｇ、Ｂ各色の光の明るさ及び色の補正を行う場合、光センサー１７で測定した測定値が各透過型カラーフィルター１２ａ、１２ｂ、１２ｃを透過した光に対応するものであるか正確に判断できない。
【００３８】
そこで、この第３の実施の形態では、第２の実施の形態においてカラーホイル１２のインデックス１２ｅを基準にして設定された、図４（ｃ）に示すＤＭＤ１５のＲ、Ｇ、Ｂ各色の光に対する変調処理期間と、光センサー１７でのＲ、Ｇ、Ｂ各色の光を測定するタイミングを同期させるようにする。この場合、光センサー１７には、Ｒ、Ｇ、Ｂ各色の光に対する測定開始、及び終了をそれぞれ指示可能な機能を有するものが用いられる。
【００３９】
これにより、例えば、ＤＭＤ１５での赤（Ｒ）の光に対する変調処理期間に対応させて光センサー１７の測定開始、及び終了を指示すれば、赤（Ｒ）の光に対する測定が、緑（Ｇ）の光に対する変調処理期間に対応させて光センサー１７の測定開始、及び終了を指示すれば、緑（Ｇ）の光に対する測定が、青（Ｂ）の光に対する変調処理期間に対応させて光センサー１７の測定開始、及び終了を指示すれば、青（Ｂ）の光に対する測定がそれぞれ行われることになる。
【００４０】
したがって、このようにすれば、光センサー１７がＲ、Ｇ、Ｂ各色の光を測定するタイミングを、透過型カラーフィルター１２ａ、１２ｂ、１２ｃを透過するＲ、Ｇ、Ｂ各色の光に同期させることができるので、各測定対象に対する測定値を正確に取得することができ、この測定値を用いることにより画面の色及び明るさを正確に補正することができる。
【００４１】
なお、本発明は、上記実施の形態に限定されるものでなく、実施段階では、その要旨を変更しない範囲で種々変形することが可能である。例えば、上述した実施の形態では、光センサー１７によりＲ、Ｇ、Ｂ各色の光の色及び明るさを測定するようにしたが、明るさのみを測定するようにしても良い。
【００４２】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００４３】
【図１】本発明の第１の実施の形態に係るリアプロジェクタ装置により構成されるＤＬＰマルチ表示装置の概略構成を示す図。
【図２】第１の実施の形態のリアプロジェクタ装置の概略構成を示す図。
【図３】第１の実施の形態のリアプロジェクタ装置の装置本体を詳細に説明する図。
【図４】第１の実施の形態に用いられるカラーホイル及びＤＭＤでの信号処理の期間を説明するための図。
【図５】第１の実施の形態に用いられる光センサーの概略構成を示す図。
【図６】第１の実施の形態に用いられる光センサーでの光の測定状態を説明する図。
【図７】本発明の第２の実施の形態の説明に用いられる光センサーの出力とインデックス値との関係を示す図。
【符号の説明】
【００４４】
１００〜４００…リアプロジェクタ装置
１…装置本体、２…投射レンズ
３…反射ミラー、４…スクリーン
１１…光源、１２…カラーホイル
１２ａ．１２ｂ、１２ｃ…透過型カラーフィルター
１２ｅ…インデックス、１５…ＤＭＤ
１６…ＤＭＤ制御部、１７…光センサー
【図１】
2008310156.tif 000003
【図２】
2008310156.tif 000004
【図３】
2008310156.tif 000005
【図４】
2008310156.tif 000006
【図５】
2008310156.tif 000007
【図６】
2008310156.tif 000008
【図７】
2008310156.tif 000009